(57)【要約】      （修正有）【課題】ラベルとしての諸機能、例えば、強度、コシ等に優れ、皺等の発生を防止し、かつ、多色の印刷絵柄を施し美麗な装飾効果を奏し、さらに、ボトルの分別回収適正を有し、廃棄物処理上有効なコースターとして再利用可能なボトル用商品表示ラベルを提供する。【解決手段】商品表示ラベル２を０．８〜１ｍｍ程度の厚手の合成ゴム製とし、ラベル本体２ａと再剥離接着層とから形成し、焼酎等の飲料が充填されたガラスボトル１の外表面に貼着及び再剥離できるようにする。需要者は、商品の中身の飲料を消費後、あるいは購入直後に、ボトル１とラベル２とを分離し、剥した商品表示ラベル２を台紙等に再貼着することでコースターとして再利用する。【選択図】図１
0003112925.tif 000002
【実用新案登録請求の範囲】
【請求項１】
肉厚なゴム製のラベル本体と再剥離接着層とからなるボトル用商品表示ラベルであって、ボトルから剥離した当該商品表示ラベルに台紙を再貼着することでコースターとして再利用することを特徴とするボトル用商品表示ラベル。
【考案の詳細な説明】
【技術分野】
【０００１】
本考案は、酒等のガラスボトルの表面に剥離可能に貼着し、手軽に剥して再貼着をすることができる商品表示ラベルに関し、とくに剥離後にコースターとして利用できるボトル用商品表示ラベルに関するものである。
【背景技術】
【０００２】
従来、酒、ジュース、炭酸飲料等の飲料水、あるいは、調味料等の液体状飲食品を充填包装するために、種々の形態からなるガラス製又はプラスチック製ボトル（以下、単にボトルという）が用いられている。そして、これらのボトルの表面には、通常、内容物、製造会社名等を表示する目的で、文字、絵柄、記号等を印刷した種々の形態からなるラベルが装着されている。ボトルの外表面に装着されるラベルとしては、一般的には紙あるいはプラスチック製フィルム等からなる基材シートの表面に、所望の印刷絵柄層を形成し、さらに、その裏面に、接着剤層ないし粘着剤層等を形成し、この接着剤層ないし粘着剤層を介してボトルの外表面に貼着されるものである。また、文字、図形、記号、絵柄等の美麗な表面装飾模様を有し、内容物等の表示と共に、その宣伝効果等を期待し、全てのボトルに使用されるものである。
【考案の開示】
【考案が解決しようとする課題】
【０００３】
ところで、近年、ボトルを回収し、その再利用化を図ることが種々検討されている。しかしながら、上記のような、その表面にラベルを装着したボトル等においては、ボトルとラベルとを分離し、分別回収し、再利用化を図ることは極めて困難であるというのが実情である。
【０００４】
一方、従来より、繰り返し貼着・剥離ができる名札シールや付箋、あるいは、各種のシールが、ラベルあるいはシール（以下、単に「ラベル」という）として実用に供されている（例えば、特許文献１参照。）。しかし、従来の繰り返し貼着・剥離できるラベルは、ラベルの全周・全面において、貼着面に貼着されてしまうため、剥離可能な粘着剤により形成した粘着層において対象面に貼着されていても、そのラベルの全周に剥離する際の指掛かりや爪掛かりになる部分がないので、剥離し難いことが多いという問題がある。
【特許文献１】実用新案登録第３０６９７４６号公報
【０００５】
例えば、上記の接着剤層ないし粘着剤層を介して、ボトルの表面に張り合わせてなるラベルにおいては、該ラベルは、ボトルの表面に強固に固着し、そのラベルをボトルの表面から引き剥がすことは、極めて困難であり、したがって、使用後、ラベルとボトルとを分別廃棄することは、不可能に近いものであり、その廃棄適性が著しく劣るものである。仮に、上記ラベルとボトルとを分別回収することができたとしても、ボトルの外表面に接着剤層ないし粘着剤層が残留し、これが不純物として作用し、回収したボトルを再利用化した再生品においては、その品質等が低下するという問題点がある。
【０００６】
そこで本考案では、ラベルとしての諸機能、例えば、強度、コシ等に優れ、皺等の発生を防止し、かつ、多色の印刷絵柄を施し美麗な装飾効果を奏し、さらに、ボトルの分別回収適正を有し、廃棄物処理上有効なコースターとして再利用可能なボトル用商品表示ラベルを提供するものである。
【課題を解決するための手段】
【０００７】
このため本考案は、肉厚なゴム製のラベル本体と再剥離接着層とからなるボトル用商品表示ラベルであって、ボトルから剥離した当該商品表示ラベルに台紙を再貼着することでコースターとして再利用することを特徴とする。
【考案の効果】
【０００８】
本考案のラベルは、強度に優れ、剥離時に皺が発生せず、ボトルからラベル容易に剥離することができ、コースターとして再利用することで廃棄物処理上の環境保護問題を解決する一助と成り得る。
【０００９】
本考案に係るラベルは厚手（０．８〜１ｍｍ程度）の合成ゴムを用いて作製する。この場合、所要の強度を確保すべく、比較的硬質のゴム基材を用いるのが望ましい。これにより、ラベルをボトルから引き剥がすとき破れたり変形したりするおそれがない。とくに、ラベル端部が指掛かりとなりボトルから容易に引き剥がすことができる。
【考案を実施するための最良の形態】
【００１０】
次に、本考案の実施の形態を図面に示す実施例に基づいて説明する。
図１は本考案の一実施例に係るボトルと商品表示ラベルを示す斜視図、図２は商品表示ラベルの断面図、図３は商品表示ラベルの再利用状態を示す斜視図である。
【実施例】
【００１１】
図１及び図２に示すように、本考案に係る商品表示ラベル２は０．８〜１ｍｍ程度の厚手の合成ゴム製で、ラベル本体２ａと再剥離接着層２ｂとから形成されており、焼酎等の飲料が充填されたガラスボトル１の外表面に貼着及び再剥離できるようにされている。そして、商品表示ラベル２を貼着した状態で商品として市場に流通し販売される。合成ゴム製のラベル本体２ａは、強度、コシ等に優れ、皺等の発生を防止し、かつ、多色の印刷絵柄を施せば美麗な装飾効果を奏する。
【００１２】
このように構成された商品表示ラベル２は、ボトル１に貼着した状態で、ラベル部分のみが外表面から凸状に膨出した外観意匠を呈する。したがって、需要者の目を引き付ける外観意匠が表出され、この意匠効果により需要者の購買意欲を高めることができる。また、剥離する際にはラベルの厚みが指掛かりとなり容易に剥がすことができる。
【００１３】
需要者は、商品の中身の飲料を消費後、あるいは商品購入直後に、ボトル１とラベル２とを分離し、例えば、図３に示すように、剥した商品表示ラベル２を台紙３等に再貼着することでコースターとして再利用することができる。
【００１４】
尚、本考案は上記実施例に限定されず、実用新案登録請求の範囲に記載された技術思想に含まれる範囲で、種々の応用例および変形例が可能である。例えば上記実施例では、ラベルを円形に形成しているが、矩形や多角形、その他任意の形状に作成することができる。
【図面の簡単な説明】
【００１５】
【図１】本考案の一実施例に係るボトルと商品表示ラベルを示す斜視図である。
【図２】商品表示ラベルの断面図である。
【図３】商品表示ラベルの再利用状態を示す斜視図である。
【符号の説明】
【００１６】
１    ボトル
２    商品表示ラベル
２ａ  ラベル本体
２ｂ  再剥離糊層
３    台紙
【図１】
0003112925.tif 000003
【図２】
0003112925.tif 000004
【図３】
0003112925.tif 000005
【手続補正書】
【提出日】平成17年4月13日(2005.4.13)
【手続補正１】
【補正対象書類名】実用新案登録請求の範囲
【補正対象項目名】請求項１
【補正方法】変更
【補正の内容】
【請求項１】
肉厚なゴム製のラベル本体と再剥離接着層とからなるボトル用商品表示ラベル。